(57)【要約】【課題】長期的に安定した排水弁機構の操作制御及び便器への安定した洗浄水供給を行うことができる洗浄水タンク装置を提供する。【解決手段】本発明の洗浄水タンク装置は、洗浄水タンクの内部に隠蔽され、排水弁機構の排水弁を電動により操作可能な電動駆動ユニット５４であって、モーター６０と出力軸６２とを備えた電動駆動ユニットと、洗浄水タンクの内部においてモーターから延びる駆動ユニット内空気通路７０の出口の周囲を囲うように形成された収容室５６と、を備え、電動駆動ユニット５４のモーター６０から収容室５６を介して洗浄水タンク８の外部まで連通する空気通路が形成される。【選択図】図７
2019011598.tif 000002
【特許請求の範囲】
【請求項１】
便器を洗浄する洗浄水を貯水する洗浄水タンク装置であって、
排水口が形成された洗浄水タンクと、
排水弁の操作により上記排水口を開閉する排水弁機構と、
上記洗浄水タンクの内部に隠蔽されるように設けられ、上記排水弁機構の上記排水弁を電動により操作可能な電動駆動ユニットであって、電力によって回転駆動するモーターと、モーターの回転を上記排水弁機構に出力する出力軸と、を備えた電動駆動ユニットと、
上記洗浄水タンクの内部において、上記電動駆動ユニットの上記モーターから延びる駆動ユニット内空気通路の出口の周囲を囲うように形成された収容室と、を備え、
上記収容室が上記洗浄水タンクの外部に向けて開口され、上記電動駆動ユニットの上記モーターから上記収容室を介して上記洗浄水タンクの外部まで連通する空気通路が形成される洗浄水タンク装置。
【請求項２】
上記電動駆動ユニットは、さらに、上記モーターと上記出力軸とを内部に配置するケーシングを備え、
上記ケーシングには、上記出力軸を通すとともに気密を保つ構造を形成している出力軸側端部と、上記モーターから延びる駆動ユニット内空気通路の出口が形成されている空気通路出口部とが形成され、この空気通路出口部は上記収容室内に収容されている、請求項１に記載の洗浄水タンク装置。
【請求項３】
さらに、上記洗浄水タンクの満水水位を超える洗浄水を上記排水口から排出させるオーバーフロー管を備え、上記収容室は上記オーバーフロー管の上端よりも上方に配置されている、請求項１又は２に記載の洗浄水タンク装置。
【請求項４】
上記収容室は、上記洗浄水タンクの壁面に形成された連通孔の周囲を囲うように形成される請求項１乃至３の何れか１項に記載の洗浄水タンク装置。
【請求項５】
上記連通孔は、上記洗浄水タンクの背面側の壁面に形成されている請求項４に記載の洗浄水タンク装置。
【請求項６】
上記電動駆動ユニットの上記出力軸は縦方向に延び、
上記収容室は、上記洗浄水タンクに固定され、且つ上記電動駆動ユニットを支持するように形成される請求項１乃至５の何れか１項に記載の洗浄水タンク装置。
【請求項７】
上記収容室は、上記電動駆動ユニットの側方を上方まで延びる延在部を備え、この延在部が、上記電動駆動ユニットの上記出力軸と連結される上記排水弁機構を支持する請求項６に記載の洗浄水タンク装置。
【請求項８】
上記洗浄水タンクは、トイレの壁面の裏側に隠蔽される隠蔽式の洗浄水タンクである、請求項１乃至７の何れか１項に記載の洗浄水タンク装置。
【請求項９】
上記収容室は、その下部において上記収容室の内部から上記洗浄水タンクの内部まで連通する水抜き部を形成している請求項１乃至８の何れか１項に記載の洗浄水タンク装置。
【発明の詳細な説明】
【技術分野】
【０００１】
本発明は、洗浄水タンク装置に係り、特に、便器を洗浄する洗浄水を貯水する洗浄水タンク装置に関する。
【背景技術】
【０００２】
従来から、特許文献１に記載されているように、水洗大便器に洗浄水を供給する洗浄水タンク装置として、壁面の裏側領域内に隠蔽されるように配置された洗浄水タンク装置が知られている。このように壁面の裏側に隠蔽されたいわゆる隠蔽式の洗浄水タンク装置から、壁面の前面に取付けられた水洗大便器に洗浄水が供給される。
【０００３】
また、特許文献２に記載されているように、洗浄水タンク装置が、貯水タンクの外側に取付けられるハンドルと、このハンドルから貯水タンクの側面を貫通するように延びる軸部材と、貯水タンクの内側において軸部材と連結される手動操作ユニットと、貯水タンクの内部に設けられ且つモーターにより駆動する電動駆動ユニットとを備えるものが知られている。この洗浄水タンク装置においては、手動操作ユニット及び電動駆動ユニットがワイヤを引き上げ、ワイヤが排水弁装置の弁体を引き上げることにより、貯水タンクの内部の洗浄水が貯水タンクから排水され、便器を洗浄するようになっている。
【先行技術文献】
【特許文献】
【０００４】
【特許文献１】欧州特許出願公開２５６８０８９号公報
【特許文献２】特開２０１５−１９６９４９号公報
【発明の概要】
【発明が解決しようとする課題】
【０００５】
しかしながら、特許文献２に示すような洗浄水タンク装置において、電動駆動ユニットが貯水タンクの内部に設けられている。よって、貯水タンク内部に貯水されている洗浄水が蒸発した場合に、電動駆動ユニットのモーターの内部に水蒸気が流入し、その水蒸気が結露することで、モーターを含む電動駆動部が錆びて劣化したり、モーターの動作不良を生じさせるなどの問題が生じる場合があった。電動駆動ユニットが動作不良を生じれば、排水弁装置の弁体の制御も不良となり、便器に供給される洗浄水が不安定となる問題が生じる。
【０００６】
さらに、モーターを有する電動駆動ユニットを、特許文献１に示すような隠蔽式の洗浄水タンク装置の内部に配置する場合には、洗浄水タンク装置が壁面の裏側に隠蔽されるため、ハンドル及び軸部材が洗浄水タンク装置に取付けられなくなる。従って、ハンドル及び軸部材がタンク内部と外部との空気の通り道を形成することができなくなり、貯水タンク内部に貯水されている洗浄水が蒸発した場合に、電動駆動ユニットのモーターの内部に水蒸気がより流入しやすくなるという問題が生じる。特に、先行文献１のような隠蔽式の洗浄水タンク装置は壁面の裏側に隠蔽されるため、電動駆動ユニットが錆びる等により劣化や動作不良を生じる場合の電動駆動ユニットの修理又は交換等のメンテナンスが特に困難となるという問題がある。従って、上述のような問題に対する対応がより重要となっている。
【０００７】
一方で、電動駆動ユニットを洗浄水タンク装置の内部に配置する場合、電動駆動ユニットの内部のモーターを周囲に対して気密封止して水蒸気の侵入を防止することも検討された。しかしながら、モーターの作動熱によって電動駆動ユニットの内部温度が上昇した後、モーターが停止され、電動駆動ユニットの内部が冷却されると、内部温度が低下し、内部に結露水を生じてしまうという問題が生じる。従って、電動駆動ユニットの内部のモーターを周囲に対して気密封止して水蒸気の侵入を防止することが難しいという問題がある。
【０００８】
そこで、本発明は、上述した従来技術において要請されている課題を解決するためになされたものであり、長期的に安定した排水弁機構の操作制御及び便器への安定した洗浄水供給を行うことができる洗浄水タンク装置を提供することを目的としている。
【課題を解決するための手段】
【０００９】
上述した課題を解決するために、本発明は、便器を洗浄する洗浄水を貯水する洗浄水タンク装置であって、排水口が形成された洗浄水タンクと、排水弁の操作により上記排水口を開閉する排水弁機構と、上記洗浄水タンクの内部に隠蔽されるように設けられ、上記排水弁機構の上記排水弁を電動により操作可能な電動駆動ユニットであって、電力によって回転駆動するモーターと、モーターの回転を上記排水弁機構に出力する出力軸と、を備えた電動駆動ユニットと、上記洗浄水タンクの内部において、上記電動駆動ユニットの上記モーターから延びる駆動ユニット内空気通路の出口の周囲を囲うように形成された収容室と、を備え、上記電動駆動ユニットの上記モーターから上記収容室を介して上記洗浄水タンクの外部まで連通する空気通路が形成されることを特徴としている。
このように構成された本発明においては、収容室が電動駆動ユニットのモーターから延びる駆動ユニット内空気通路の出口の周囲を囲うように形成されているので、電動駆動ユニットのモーターに洗浄水タンク内の水蒸気が侵入することを抑制することができる。仮に水蒸気が収容室内に侵入した場合又はモーターの発熱後にモーター温度が冷却されモーター周辺に結露水が生じた場合であっても、モーターから収容室を介して洗浄水タンクの外部まで連通する空気通路が形成されているので、水蒸気が収容室内から洗浄水タンクの外部の大気に開放される。よって、本発明によれば、水蒸気が電動駆動ユニットのモーター内部において結露することを抑制でき、モーターの劣化及び動作不良を生じることを抑制することができる。従って、本発明によれば、洗浄水タンクの内部に隠蔽されるように設けられた電動駆動ユニットにより、長期的に安定した排水弁機構の操作制御及び長期的に安定した便器への洗浄水供給を行うことができる。
【００１０】
本発明において、好ましくは、上記電動駆動ユニットは、さらに、上記モーターと上記出力軸とを内部に配置するケーシングを備え、上記ケーシングには、上記出力軸を通すとともに気密を保つ構造を形成している出力軸側端部と、上記モーターから延びる駆動ユニット内空気通路の出口が形成されている空気通路出口部とが形成され、この空気通路出口部は上記収容室内に収容されている。
このように構成された本発明においては、モーターから延びる駆動ユニット内空気通路の出口が形成されている空気通路出口部が収容室内に収容されるので、収容室を空気通路出口部の周囲を囲うような必要最小限の大きさで構成することができ、洗浄水タンク内に設けられる収容室をコンパクトに形成することができる。よって、本発明によれば、電動駆動ユニットおよび収容室の配置の自由度を増やすことができる。さらに、洗浄水タンク内に電動駆動ユニットおよび収容室を取付ける際の作業性を向上させることができる。
【００１１】
本発明において、好ましくは、さらに、上記洗浄水タンクの満水水位を超える洗浄水を上記排水口から排出させるオーバーフロー管を備え、上記収容室は上記オーバーフロー管の上端よりも上方に配置されている。
このように構成された本発明においては、収容室はオーバーフロー管の上端よりも上方に配置されているので、洗浄水タンク内の洗浄水の水位が満水水位を超えて上昇した場合においても、収容室内の電動駆動ユニットに洗浄水が流入することを防ぐことができる。さらに、本発明によれば、洗浄水タンク内の洗浄水の水位が満水水位を超えて上昇した場合においても、洗浄水が収容室から洗浄水タンクの外部に漏水することを防ぐことができる。
【００１２】
本発明において、好ましくは、上記収容室は、上記洗浄水タンクの壁面に形成された連通孔の周囲を囲うように形成される。
このように構成された本発明においては、収容室は、洗浄水タンクの壁面に形成された連通孔の周囲を囲うように形成される。従って、本発明によれば、空気通路を形成するために別途部材を追加する必要がなく、洗浄水タンクの壁面に形成された連通孔により収容室の内部と洗浄水タンクの外部とを連通させることができ、洗浄水タンク内において空気通路をコンパクトに形成することができる。
【００１３】
本発明において、好ましくは、上記連通孔は、上記洗浄水タンクの背面側の壁面に形成されている。
このように構成された本発明においては、便器の使用者から見えやすい位置に設けられる洗浄水タンク装置においても、連通孔が洗浄水タンクの背面側の壁面に形成されているため、連通孔が使用者に見えにくく、洗浄水タンク装置の意匠性を良くすることができる。
【００１４】
本発明において、好ましくは、上記電動駆動ユニットの上記出力軸は縦方向に延び、上記収容室は、上記洗浄水タンクに固定され、且つ上記電動駆動ユニットを支持するように形成される。
このように構成された本発明においては、電動駆動ユニットの出力軸が縦方向に延びるような電動駆動ユニットの縦置きの配置を採用し、洗浄水タンク内のスペースを有効に利用することができる。よって、本発明によれば、洗浄水タンク内に配置される機器の設計の自由度を向上させることができる。さらに、収容室が電動駆動ユニットを支持する構造を兼ねることができ、電動駆動ユニットを支持するために別途支持部材を追加する必要をなくすことができる。従って、本発明によれば、電動駆動ユニット及び収容室を比較的コンパクトに形成することができる。
【００１５】
本発明において、好ましくは、上記収容室は、上記電動駆動ユニットの側方を上方まで延びる延在部を備え、この延在部が、上記電動駆動ユニットの上記出力軸と連結される。
このように構成された本発明においては、収容室が電動駆動ユニットを下方から支持するとともに電動駆動ユニットの出力軸と連結される排水弁機構を上方において支持することができる。従って、本発明によれば、電動駆動ユニット及び排水弁機構の重量によりこれらの部材に変形、破損、又は動作不良が生じることを抑制することができる。
【００１６】
本発明において、好ましくは、上記洗浄水タンクは、トイレの壁面の裏側に隠蔽される隠蔽式の洗浄水タンクである。
このように構成された本発明においては、トイレの壁面の裏側に隠蔽される隠蔽式の洗浄水タンクにおいて、電動駆動ユニットのモーターに洗浄水タンク内の水蒸気が侵入することを抑制することができる。また、本発明によれば、水蒸気が電動駆動ユニットのモーター内部において結露することを抑制でき、モーターの劣化及び動作不良を生じることを抑制することができる。従って、本発明によれば、洗浄水タンクの内部に隠蔽されるように設けられた電動駆動ユニットにより、長期的に安定した排水弁機構の操作制御及び長期的に安定した便器への洗浄水供給を行うことができる。
【００１７】
本発明において、好ましくは、上記収容室は、その下部において上記収容室の内部から上記洗浄水タンクの内部まで連通する水抜き部を形成している。
このように構成された本発明においては、仮に収容室内において水蒸気から結露水が生じた場合においても、結露水を収容室の内部から洗浄水タンクの内部まで水抜き部を通って排出することができる。これにより、本発明によれば、結露水が収容室の内部に溜まった状態となり水蒸気を収容室内部に発生させることを防ぐことができる。
【発明の効果】
【００１８】
本発明の洗浄水タンク装置によれば、長期的に安定した排水弁機構の操作制御及び便器への安定した洗浄水供給を行うことができる。
【図面の簡単な説明】
【００１９】
【図１】本発明の一実施形態による洗浄水タンク装置を備えたトイレシステムを示す概略分解斜視図である。
【図２】本発明の一実施形態による洗浄水タンク装置を示す背面図である。
【図３】本発明の一実施形態による洗浄水タンク装置の内部構造を示す概略正面図である。
【図４】本発明の一実施形態による洗浄水タンク装置の排水弁機構の排水弁本体の開弁操作を開始する前の待機状態（閉弁状態）を示す概略正面断面図である。
【図５】本発明の一実施形態による洗浄水タンク装置の排水弁機構の排水弁操作部と電動駆動ユニットと収容室とを背面側の斜め上方から見た概略斜視図である。
【図６】本発明の一実施形態による洗浄水タンク装置の排水弁機構の排水弁操作部と電動駆動ユニットと収容室とを、取付部材を取り外した状態で、背面側から見た背面図である。
【図７】図２のＶＩＩ−ＶＩＩ線に沿って見た断面図である。
【図８】本発明の一実施形態による洗浄水タンク装置の電動駆動ユニットの内部構造を、洗浄水タンク装置の左右方向の断面に沿って概略的に示す概略断面図である。
【発明を実施するための形態】
【００２０】
以下、添付図面を参照して、本発明の一実施形態による洗浄水タンク装置について説明する。まず、図１により、本発明の一実施形態による洗浄水タンク装置を備えたトイレシステムの概略について説明する。
【００２１】
図１に示すように、本発明の一実施形態による洗浄水タンク装置１は、トイレシステムＴの壁掛式の水洗大便器２を洗浄する洗浄水を貯水するとともにこの水洗大便器２に洗浄水を供給するようになっている。本発明の一実施形態による洗浄水タンク装置１は、壁掛式の水洗大便器２に限られず、床置き式の水洗便器にも適用することができる。
この洗浄水タンク装置１の左右両側は、トイレシステムＴの水洗大便器２の後端部を壁Ｗ１を介して壁裏側から固定する固定装置６によって固定されている。
また、洗浄水タンク装置１は、壁Ｗ１の裏側領域内に隠蔽された重力給水式の洗浄水タンク８を備えており、この洗浄水タンク８内の洗浄水について重力を利用して水洗大便器２の便器本体１０に洗浄水を供給するものである。洗浄水タンク装置１は、トイレシステムＴが設けられる壁Ｗ１の裏側に隠蔽される、隠蔽式の洗浄水タンク装置である。洗浄水タンク装置１は、壁Ｗ１の裏側に取付られるため、洗浄水タンク８内の奥行スペースが小さく限られている。また、洗浄水タンク装置１の正面側の側壁８ａの上部には、取付後のメンテナンス等を行うことができる開口部５が形成されている。開口部５には、洗浄水タンク装置１の使用時において、パネル状部材７が取り付けられて塞がれている。
本実施形態の洗浄水タンク装置１は、隠蔽式の洗浄水タンクに限られず、後述する電動駆動ユニット５４が内部に収納されるような構造を有する一般的な外置きの洗浄水タンクに適用することができ、さらに好ましくは、後述する電動駆動ユニット５４が内部に収納されるような構造を有し且つハンドル等の手動操作部が設けられていない一般的な外置きの洗浄水タンクに適用することができる。
【００２２】
図２に示すように、洗浄水タンク装置１の洗浄水タンク８の背面側の側壁８ｂには、壁面を貫通する連通孔８ｃが形成されている。連通孔８ｃは、洗浄水タンク８の内部から外部まで連通する空気穴を形成している。
【００２３】
図３に示すように、洗浄水タンク装置１の洗浄水タンク８の内部には、給水弁装置１２、及び、排水弁機構１３がそれぞれ設けられている。
まず、図３に示すように、給水弁装置１２は、水道等の洗浄水タンク８の外部の給水源（図示せず）と接続される給水管１６と、この給水管１６から給水される洗浄水の吐水と止水を切り替える給水バルブ１８と、洗浄水タンク８内の水位の変動に応じて上下動して給水バルブ１８を開閉するフロート２０とを備えている。なお、給水弁装置１２の詳細については、従来のものと同様であるため、説明を省略する。
【００２４】
図３及び図４に示すように、排水弁機構１３は、排水弁本体１４と、排水弁操作部３６とを備えている。
排水弁本体１４は、排水口形成部材２１、排水弁体２４、オーバーフロー管２６、大洗浄モード用の操作レバー２８、フック部材３０、及び、小洗浄モード用の操作レバー３２を備えている。
【００２５】
排水口形成部材２１は、洗浄水タンク８の底部に接続され、洗浄水タンク８内の底面に排水口２２を形成すると共に、この排水口２２の上縁に沿って弁座２２ａを形成している。排水口２２は、接続管３４を介して便器本体１０の導水路（図示せず）に接続される。排水弁体２４は、オーバーフロー管２６の下端近傍に取り付けられており、オーバーフロー管２６が最低位置にあるとき、弁座２２ａに当接して排水口２２を閉止するようになっている。オーバーフロー管２６は、上下方向に摺動可能となっている。オーバーフロー管２６の上方開口形成部２６ａの外面には、大洗浄モード用の操作レバー２８が連結されている。そして、大洗浄モードの開弁操作時に、操作レバー２８が後述する第１操作ワイヤ４０により機械的に引き上げられることにより、オーバーフロー管２６及び排水弁体２４が上昇して、排水口２２が開放されるようになっている。
【００２６】
オーバーフロー管２６の上方開口形成部２６ａの下部には、フック部材３０が設けられている。このフック部材３０には、小洗浄モード用の操作レバー３２が連結されている。
そして、小洗浄モードの開弁操作時に、操作レバー３２が後述する第２操作ワイヤ４２により機械的に引き上げられることにより、フック部材３０と共にオーバーフロー管２６及び排水弁体２４が上昇して、排水口２２が開放されるようになっている。
【００２７】
すなわち、オーバーフロー管２６、操作レバー２８、３２及び排水弁体２４の全体が、実質的には、排水弁体部として機能するようになっている。よって、排水弁機構１３は、排水弁体部の排水弁体２４の移動により排水口２２を開閉する。
また、洗浄水タンク８内の水位がオーバーフロー管２６の上端２６ｂの位置の満水水位ＷＬ０を超える場合には、この超えた洗浄水がオーバーフロー管２６内から、これと常時連通している排水口２２内に排出されるようになっている。なお、オーバーフロー管２６は、排水弁体部とは独立して洗浄水タンク装置内に設けられていてもよい。なお、排水弁本体１４のその他の機能の詳細については、従来のものと同様であるため、説明を省略する。
【００２８】
図３乃至図７に示すように、排水弁操作部３６は、ケーシング３８、大洗浄モード用の第１操作ワイヤ４０、小洗浄モード用の第２操作ワイヤ４２、プーリ４６（図７参照）、留め具４８、を備えている。
【００２９】
ケーシング３８は、内部においてプーリ４６を回転可能に保持する。
第１操作ワイヤ４０は、大洗浄モード用の操作レバー２８と、プーリ４６とを連結している。第１操作ワイヤ４０は、第１保護チューブ５０内に配置されている。
第２操作ワイヤ４２は、小洗浄モード用の操作レバー３２と、プーリ４６とを連結している。第２操作ワイヤ４２は、第２保護チューブ５２内に配置されている。
【００３０】
図７に示すように、プーリ４６は、後述する電動駆動ユニット５４の出力軸６２が連結される軸部４６ａと、この軸部４６ａから半径方向外側に突出する概ね円環状の回転巻取部４６ｂとを備えている。プーリ４６の軸部４６ａは、外面の所定位置において留め具４８が外側から嵌められることにより、出力軸６２に対して固定されるようになっている。
【００３１】
プーリ４６の回転巻取部４６ｂの外周面には、第１操作ワイヤ４０が取り付けられ、第１操作ワイヤ４０が回転巻取部４６ｂにより巻き取られる際に第１操作ワイヤ４０をガイドする第１ガイド溝４６ｃが形成されている。
また、プーリ４６の回転巻取部４６ｂの外周面には、第２操作ワイヤ４２が取り付けられ、第２操作ワイヤ４２が回転巻取部４６ｂにより巻き取られる際に第２操作ワイヤ４２をガイドする第２ガイド溝４６ｄが形成されている。
このような構造により、プーリ４６は、第１方向Ｒ１（図５参照）に回転する場合に第１操作ワイヤ４０を巻き取り且つ引き上げることができ、さらに、第２方向Ｒ２（図５参照）に回転する場合に第２操作ワイヤ４２を巻き取り且つ引き上げることができるようになっている。
【００３２】
さらに、洗浄水タンク装置１は、排水弁を操作する電動駆動ユニット５４と、洗浄水タンク８の内部において形成された収容室５６と、を備えている。
【００３３】
電動駆動ユニット５４は、その全体が洗浄水タンク８の内部に隠蔽されるように設けられている。隠蔽されるとは、電動駆動ユニット５４が洗浄水タンク８の外部から見えないように洗浄水タンク８の内部に配置されることをいう。電動駆動ユニット５４は、洗浄水タンク８の壁部を貫通して洗浄水タンク８の外部まで延びないようにされている。すなわち、電動駆動ユニット５４の全体が洗浄水タンク８の内部空間に配置されている。電動駆動ユニット５４は、排水弁機構１３の排水弁体２４を電動により操作可能に構成されている。図８に示すように、電動駆動ユニット５４は、電源から供給される電力によって回転駆動するモーター６０と、モーター６０の回転駆動により回転駆動可能な出力軸６２と、モーター６０と出力軸６２とを内部に配置するケーシング６４と、を備えている。
【００３４】
モーター６０は、制御部６６と電気的に接続され、制御部６６の指令を受けて制御される。電動駆動ユニット５４内において、モーター６０の回転がギヤ（図示せず）等により出力軸６２に伝達される。出力軸６２は、大洗浄モードの開弁操作の指令を受けた場合には第１方向Ｒ１に回動され、小洗浄モードの開弁操作の指令を受けた場合には第１方向と反対の第２方向Ｒ２に回動されるようになっている。モーター６０は、大洗浄モードの開弁操作と、小洗浄モードの開弁操作との切り替えを簡易に回転方向の逆転によって実行できる。
【００３５】
図１に示すように、制御部６６は、壁Ｗ１上に設けられた操作パネル６９に配置される。使用者が操作パネル６９等を操作して送信された信号及び／又は、水洗大便器２の周辺に設置された人感センサ（図示せず）が感知して送信された信号に基づいて、制御部６６がモーター６０の駆動を制御するようになっている。
【００３６】
図７及び図８に示すように、出力軸６２は、電動駆動ユニット５４の縦方向に延び且つ電動駆動ユニット５４の上方側に突出するように配置されている。電動駆動ユニット５４の出力軸６２が縦方向に延びるような電動駆動ユニット５４の縦置きの配置が採用されている。縦置きの配置の電動駆動ユニット５４は、電動駆動ユニット５４の横方向の幅が比較的短く形成されるため、電動駆動ユニット５４以外の機器のための洗浄水タンク８の横方向の配置スペースを比較的広く形成することが可能になる。
【００３７】
モーター６０により駆動される出力軸６２が第１方向Ｒ１（図５参照）に回転駆動された場合には、プーリ４６が第１方向Ｒ１に回転され、プーリ４６が第１操作ワイヤ４０及びこれに連結された排水弁体２４を引き上げて第１洗浄水量による大洗浄モードの便器洗浄が実行されるようになっている。図４に示すように、大洗浄モードにおいては、洗浄水タンク８内の満水水位ＷＬ０から最低水位ＤＷＬ１まで低下した第１洗浄水量が、排水口２２から便器本体１０に供給される。
モーター６０により駆動される出力軸６２が第２方向Ｒ２（図５参照）に回転駆動された場合には、プーリ４６が第２方向Ｒ２に回転され、プーリ４６が第２操作ワイヤ４２及びこれに連結された排水弁体２４を引き上げて第２洗浄水量による小洗浄モードの便器洗浄が実行されるようになっている。図４に示すように、小洗浄モードにおいては、洗浄水タンク８内の満水水位ＷＬ０から最低水位ＤＷＬ２まで低下した第２洗浄水量が、排水口２２から便器本体１０に供給される。
【００３８】
ケーシング６４には、出力軸６２を通すように形成された出力軸側端部６７と、モーター６０から延びる駆動ユニット内空気通路７０の出口７０ａが形成されている空気通路出口部６８とが形成され、この空気通路出口部６８は収容室５６内に収容されている。ケーシング６４は、空気通路出口部６８以外の部分においては気密を保つ構造を形成している。
出力軸６２は、電動駆動ユニット５４の縦方向に延びるため、出力軸側端部６７は電動駆動ユニット５４の上部に配置される。出力軸側端部６７は、内部に配置されたシール部材６９によりケーシング６４の外部と内部との間に概ね気密を保つ構造を形成している。
空気通路出口部６８は、出力軸側端部６７よりも下方の位置、例えば、電動駆動ユニット５４の下部に配置される。駆動ユニット内空気通路７０は、ケーシング６４内においてモーター６０、出力軸６２等の構造間の空気を通す隙間により形成される。駆動ユニット内空気通路７０は、図８において矢印７０により概略的に示されている。駆動ユニット内空気通路７０は、モーター６０内と収容室５６とを連通し、外気をモーター６０内に流入させることができ且つモーター６０近傍に発生する水蒸気を収容室５６に流出させることができる通路を形成する。電動駆動ユニット５４の下部の空気通路出口部６８の外周のケーシング６４に収容室５６が取り付けられる。よって、収容室５６が、ケーシング６４を介して電動駆動ユニット５４を支持するように形成される。
【００３９】
収容室５６は、電動駆動ユニット５４のモーター６０から延びる駆動ユニット内空気通路７０の出口７０ａの周囲を囲うように形成される。収容室５６は、駆動ユニット内空気通路７０の出口７０ａを内部に配置していれば、電動駆動ユニット５４のいずれの部分を内部に配置するように形成されてもよく、例えば電動駆動ユニット５４の全体を内部に配置するように形成されていてもよい。さらに、収容室５６は、洗浄水タンク８の側壁８ｂに形成された連通孔８ｃの周囲を囲うように形成される。
【００４０】
図５乃至図７等に示すように、収容室５６は、洗浄水タンク８の側壁に取付けられる取付部材７４と、取付部材７４に取付られた状態で直方体形状の内部空間を構成する収容部材７６とにより形成されている。
取付部材７４は、洗浄水タンク８の側壁８ａに固定された状態でこの側壁８ａに沿った縦壁７４ａを形成する。取付部材７４の縦壁７４ａには、連通孔８ｃと並ぶ位置において連通孔８ｃより大きい大きさの開口部７４ｂが形成されている。
収容部材７６は箱型に形成され、側壁８ａに向かう一面が開口されている。よって、収容部材７６の開口側を取付部材７４の縦壁７４ａに向けて配置することにより、洗浄水タンク８の内部空間からさらに区画された収容室５６内の内部空間を形成する。このように収容室５６は、開口部７４ｂ及び連通孔８ｃを介して洗浄水タンク８の外部に向けて開口される。すなわち収容室５６の内部空間は、洗浄水タンク８の外部に向けて開放される。なお、収容室５６は、取付部材７４が省略され、収容部材７６と側壁８ａとにより形成されていてもよい。
【００４１】
図３に示すように、収容室５６は収容部材７６を取付部材７４に取付けることにより洗浄水タンク８に固定される。収容室５６の収容部材７６が電動駆動ユニット５４をケーシング６４を介して下方から支持するように形成される。
収容室５６の収容部材７６は、さらに、電動駆動ユニット５４の側方を上方まで延びる延在部７６ａを備え、この延在部７６ａが、電動駆動ユニット５４の出力軸６２と連結される排水弁機構１３の排水弁操作部３６のケーシング３８を支持する。収容室５６の収容部材７６は、排水弁機構１３を支持し且つ電動駆動ユニット５４を上方からも支持する。
【００４２】
収容室５６の下端は、オーバーフロー管２６の上端２６ｂよりも上方に配置されている。収容室５６は、その下部において収容室５６の内部から洗浄水タンク８の内部まで連通する水抜き用の隙間５６ａ（水抜き部）を形成している。水抜き用の隙間５６ａ（水抜き部）は収容室５６の底面に形成された水抜き孔により形成されていてもよい。
【００４３】
次に、図７及び図８を参照して、空気通路について説明する。
洗浄水タンク８の側壁８ｂに形成された連通孔８ｃは、収容室５６の内部と洗浄水タンク８の外部とを連通する外部空気通路７２を形成している。外部空気通路７２は、図８において矢印７２により概略的に示されている。
洗浄水タンク装置１においては、電動駆動ユニット５４のモーター６０から収容室５６を介して洗浄水タンク８の外部まで連通する空気通路が形成される。この空気通路は、駆動ユニット内空気通路７０（図８参照）と、直線的に延びる外部空気通路７２とを含む。外部空気通路７２の流路断面積は、収容室５６の内部から洗浄水タンク８の内部まで連通する隙間５６ａ等の流路断面積よりも大きく設定されている。よって、収容室５６の内部と洗浄水タンク８の外部との間の空気の流通量が、収容室５６の内部と洗浄水タンク８の内部との間の空気の流通量よりも大きくされている。
【００４４】
上述した本発明の一実施形態による洗浄水タンク装置１によれば、収容室５６が電動駆動ユニット５４のモーター６０から延びる駆動ユニット内空気通路７０の出口７０ａの周囲を囲うように形成されているので、電動駆動ユニット５４のモーター６０に洗浄水タンク８内の水蒸気が侵入することを抑制することができる。仮に水蒸気が収容室５６内に侵入した場合又はモーター６０の発熱後にモーター温度が冷却されモーター６０周辺に結露水が生じた場合であっても、モーター６０から収容室５６を介して洗浄水タンク８の外部まで連通する空気通路が形成されているので、水蒸気が収容室５６内から洗浄水タンク８の外部の大気に開放される。よって、水蒸気が電動駆動ユニット５４のモーター６０内部において結露することを抑制でき、モーター６０の劣化及び動作不良を生じることを抑制することができる。従って、洗浄水タンク８の内部に隠蔽されるように設けられた電動駆動ユニット５４により、長期的に安定した排水弁機構１３の操作制御及び長期的に安定した便器本体１０への洗浄水供給を行うことができる。
【００４５】
また、本実施形態による洗浄水タンク装置１によれば、モーター６０から延びる駆動ユニット内空気通路７０の出口７０ａが形成されている空気通路出口部６８が収容室５６内に収容されるので、収容室５６を空気通路出口部６８の周囲を囲うような必要最小限の大きさで構成することができ、洗浄水タンク８内に設けられる収容室５６をコンパクトに形成することができる。よって、電動駆動ユニット５４および収容室５６の配置の自由度を増やすことができる。さらに、洗浄水タンク８内に電動駆動ユニット５４および収容室５６を取付ける際の作業性を向上させることができる。
【００４６】
さらに、本実施形態による洗浄水タンク装置１によれば、収容室５６はオーバーフロー管２６の上端２６ｂよりも上方に配置されているので、洗浄水タンク８内の洗浄水の水位が満水水位ＷＬ０を超えて上昇した場合においても、収容室５６内の電動駆動ユニット５４に洗浄水が流入することを防ぐことができる。さらに、本発明によれば、洗浄水タンク８内の洗浄水の水位が満水水位ＷＬ０を超えて上昇した場合においても、洗浄水が収容室５６から洗浄水タンク８の外部に漏水することを防ぐことができる。
【００４７】
また、本実施形態による洗浄水タンク装置１によれば、収容室５６は、洗浄水タンク８の壁面に形成された連通孔の周囲を囲うように形成される。従って、空気通路を形成するために別途部材を追加する必要がなく、洗浄水タンク８の壁面に形成された連通孔により収容室５６の内部と洗浄水タンク８の外部とを連通させることができ、洗浄水タンク８内において空気通路をコンパクトに形成することができる。
【００４８】
さらに、本実施形態による洗浄水タンク装置１によれば、便器の使用者から見えやすい位置に設けられる洗浄水タンク装置においても、連通孔が洗浄水タンク８の背面側の壁面に形成されているため、連通孔が使用者に見えにくく、洗浄水タンク装置の意匠性を良くすることができる。
【００４９】
さらに、本実施形態による洗浄水タンク装置１によれば、電動駆動ユニット５４の出力軸が縦方向に延びるような電動駆動ユニット５４の縦置きの配置を採用し、洗浄水タンク８内のスペースを有効に利用することができる。よって、洗浄水タンク８内に配置される機器の設計の自由度を向上させることができる。
さらに、収容室５６が電動駆動ユニット５４を支持する構造を兼ねることができ、電動駆動ユニット５４を支持するために別途支持部材を追加する必要をなくすことができる。従って、電動駆動ユニット５４及び収容室５６を比較的コンパクトに形成することができる。
【００５０】
さらに、本実施形態による洗浄水タンク装置１によれば、収容室５６が電動駆動ユニット５４を下方から支持するとともに電動駆動ユニット５４の出力軸と連結される排水弁機構１３を上方において支持することができる。従って、電動駆動ユニット５４及び排水弁機構１３の重量によりこれらの部材に変形、破損、又は動作不良が生じることを抑制することができる。
【００５１】
さらに、本実施形態による洗浄水タンク装置１によれば、トイレの壁面の裏側に隠蔽される隠蔽式の洗浄水タンク８において、電動駆動ユニット５４のモーター６０に洗浄水タンク８内の水蒸気が侵入することを抑制することができる。また、水蒸気が電動駆動ユニット５４のモーター６０内部において結露することを抑制でき、モーター６０の劣化及び動作不良を生じることを抑制することができる。従って、洗浄水タンク８の内部に隠蔽されるように設けられた電動駆動ユニット５４により、長期的に安定した排水弁機構１３の操作制御及び長期的に安定した便器への洗浄水供給を行うことができる。
【００５２】
さらに、本実施形態による洗浄水タンク装置１によれば、仮に収容室５６内において水蒸気から結露水が生じた場合においても、結露水を収容室５６の内部から洗浄水タンク８の内部まで水抜き用の隙間５６ａを通って排出することができる。これにより、結露水が収容室５６の内部に溜まった状態となり水蒸気を収容室５６内部に発生させることを防ぐことができる。
【符号の説明】
【００５３】
１            洗浄水タンク装置
２            水洗大便器
８            洗浄水タンク
８ｃ          連通孔
１３          排水弁機構
２６          オーバーフロー管
３６          排水弁操作部
５４          電動駆動ユニット
５６          収容室
５６ａ        水抜き用の隙間（水抜き部）
６０          モーター
６２          出力軸
６４          ケーシング
６６          制御部
６７          出力軸側端部
６８          空気通路出口部
７０          駆動ユニット内空気通路
７０ａ        出口
７２          外部空気通路
７６ａ        延在部
【図１】
2019011598.tif 000003
【図２】
2019011598.tif 000004
【図３】
2019011598.tif 000005
【図４】
2019011598.tif 000006
【図５】
2019011598.tif 000007
【図６】
2019011598.tif 000008
【図７】
2019011598.tif 000009
【図８】
2019011598.tif 000010